(57)【要約】【課題】開口部が狭くされた有底の溝を有する枠材へのボード固定の簡略化を図る。【解決手段】ボード固定部材は、第１片から第３片を備える。第１片は、枠材の溝に挿入されたボードが溝の開口部の周壁に当接した当接状態において、溝挿入済みボードの表面に当接して溝内部に延びる。第２片は、この第１片の一端側において屈曲して延び、ボードの当接状態において、開口部とボードとの隙間を塞ぐ。第３片は、第１片の他端側において屈曲して延び、ボードの当接状態において、開口部の周壁および／または溝の内周壁と係合して、第１片にボードの側に押し付ける弾発力を及ぼす。【選択図】図９
2013234498.tif 000002
【特許請求の範囲】
【請求項１】
枠材が有する有底の溝に溝内部より狭くされた開口部から挿入されたボードを、前記枠材に固定するボード固定部材であって、
前記ボードが前記開口部の開口端に当接した当接状態において、前記開口部の側から前記溝の底に向かう第１の方向に沿って延びて前記溝に挿入済みの前記ボードの表面に当接する第１片と、
前記第１の方向と交差した前記開口部の幅方向を第２の方向とし、該第２の方向に沿って前記第１片から延び、前記ボードの当接状態において、前記開口部と前記ボードとの隙間を塞ぐ第２片と、
該第１片の他端側において前記第１片から屈曲して延び、前記ボードの当接状態において、前記開口部の開口端および／または前記溝の内周壁と係合して、前記第１片に前記ボードの側に押し付ける弾発力を及ぼす第３片とを備える
ボード固定部材。
【請求項２】
請求項１に記載のボード固定部材であって、
更に、
前記第１片の他端の側から屈曲して延び、前記ボードの当接状態においては前記溝の内部に位置し、前記ボードが前記溝から取り外した非挿入状態において前記開口部の周壁下端と干渉する第４片を備える
ボード固定部材。
【請求項３】
前記各片をバネ鋼板のプレス成形を経て形成される請求項１または請求項２に記載のボード固定部材。
【請求項４】
前記第２片が前記第２の方向に沿って前記第１片から延びる寸法は、前記開口部の開口幅より大きくされている請求項１から請求項３までのいずれか一項に記載のボード固定部材。
【請求項５】
前記第３片は、前記非挿入状態においても、前記弾発力により前記第１片を前記ボードが当接していた側の前記開口部の開口端に押し付ける請求項１から請求項４までのいずれか一項に記載のボード固定部材。
【請求項６】
前記第４片は、前記溝が延びる方向に沿った前記第１片の幅方向の両端において、前記第１片の他端側から屈曲して延びる請求項２に記載のボード固定部材。
【請求項７】
枠材にボードを固定したパーテーションであって、
溝内部より開口部が狭くされた有底の溝を有する前記枠材と、
前記枠材の前記開口部から前記溝に挿入されて前記開口部の開口端に当接する前記ボードと、
前記開口部の開口端に当接した前記ボードを、前記枠材の前記溝において固定する請求項１から請求項６までのいずれか一項に記載のボード固定部材とを備え、
前記第１片は、前記ボードが前記開口部の開口端に当接した当接状態において、前記溝に挿入済みの前記ボードの表面に当接して、前記溝の内部に延び、
前記第２片は、前記第１片の一端側において前記第１片から延び、前記ボードの当接状態において、前記開口部と前記ボードとの隙間を塞ぎ、
前記第３片は、前記第１片の他端側において前記第１片から屈曲して延び、前記ボードの当接状態において、前記開口部の開口端および／または前記溝の内周壁と係合して、前記第１片に前記ボードの側に押し付ける弾発力を及ぼす
パーテーション。
【発明の詳細な説明】
【技術分野】
【０００１】
本発明は、枠材へのボード固定に関する。
【背景技術】
【０００２】
安全柵や集合住宅のベランダやバルコニー等における隔壁材、仕切板といったパーテーションでは、ボードは枠材に固定され、種々の固定手法が提案されている（例えば、特許文献1等）。
【先行技術文献】
【特許文献】
【０００３】
【特許文献１】特開２００３−１１３６４３号公報
【特許文献２】特開２００４−３６２９７号公報
【発明の概要】
【発明が解決しようとする課題】
【０００４】
特許文献１では、枠材の溝にボードを嵌合させる構造を採用しているので、ボードをガタ付かせることなく固定できるものの、寸法に余裕がないことから、ボード固定作業は繁雑となりがちである。また、枠材に固定済みのボードは、往々にして損傷することがある。例えば、バルコニー等における隔壁材では、避難の際には、避難者によりボードが破られる。また、安全柵等にあっても、異物の衝突によりボードが損傷する。こうした場合には、ボードを交換する必要があるものの、特許文献１のような嵌合構造では、ボードの交換作業が繁雑となる、或いは、ボードを枠材に固定済みの完成品としての隔壁材ごとの交換も余儀なくされるという課題があった。
【０００５】
ところで、枠材の溝幅を広くして寸法に余裕を持たせれば、ボード固定作業や交換作業の繁雑さは軽減されるものの、ボードのガタツキ防止のため、ボードと溝との隙間に、軟質の樹脂等の充填材を別途充填する工程が別途必要となるという課題があった。この他、ボードと溝との隙間に充填された充填材は、経年変化により劣化するので、再利用も進まないので、その改善を図ることも望ましい。
【課題を解決するための手段】
【０００６】
本発明は、上述の課題の少なくとも一部を解決するためになされたものであり、以下の形態として実現することが可能である。
【０００７】
（１）本発明の一形態によれば、開口部が狭くされた有底の溝を有する枠材に、前記開口部から前記溝に挿入されたボードを固定するボード固定部材が提供される。このボード固定部材は、次の第１片から第３片を備える。第１片は、前記ボードが前記開口部の開口端に当接した当接状態において、前記開口部の側から前記溝の底に向かう第１の方向に沿って延びて前記溝に挿入済みの前記ボードの表面に当接する。第２片は、前記第１の方向と交差した前記開口部の幅方向を第２の方向とし、該第２の方向に沿って前記第１片から延び、前記ボードの当接状態において、前記開口部と前記ボードとの隙間を塞ぐ。第３片は、該第１片の他端側において前記第１片から屈曲して延び、前記ボードの当接状態において、前記開口部の開口端および／または前記溝の内周壁と係合して、前記第１片に前記ボードの側に押し付ける弾発力を及ぼす。
【０００８】
この形態のボード固定部材によれば、ボードが開口部の開口端に当接した当接状態において、ボードと溝の開口部との隙間に、第１片がボードの表面に当接するよう、第１片を第３片が延びる他端側から溝の内部に挿入できる。こうすれば、第１片は、溝に挿入済みのボードの表面に当接して溝の内部に延び、第２片により開口部とボードとの隙間を塞ぐ。その上で、第３片が第１片に及ぼした弾発力により、ボードを開口部の周壁に当接した当接状態で枠材の溝に固定でき、ボードと溝とのガタツキを防止し得る。そして、ボードと溝の開口部との隙間への第１片からの挿入という簡単な作業で、枠材へのボード固定やボードの交換固定が済み、簡便である。また、固定済みのボードを溝から取り外せば、その取り外しの際に、第３片は上記の弾発力を第１片に及ぼす。このため、ボード固定部材の各片は、ボードが当接していた側の開口部の周壁の側に移動する。この状態で、第３片が開口部の開口端および／または溝の内周壁との係合を解けば、上記形態のボード固定部材は、溝から取り外し可能である。よって、再利用も可能であり、ボードの破損等に伴う交換に際しては、ボードを枠材に固定済みの完成品としての交換もさほど必要とならなくなる。なお、溝の開口部を第２片の範囲で塞いだ状態で上記形態のボード固定部材が溝に残ったとしても、ボードが当接していた側と反対側の開口部の開口端に第１片が移動するよう、上記形態のボード固定部材を操作すれば、第１片と開口部の周壁との隙間にボードを改めて挿入できるので、再利用は可能である。
【０００９】
（２）上記形態のボード固定部材において、更に、第４片を備えるようにできる。この第４片は、前記第１片の他端の側から屈曲して延び、前記ボードの当接状態においては前記溝の内部に位置し、前記ボードが前記溝から取り外した非挿入状態において前記開口部の周壁下端と干渉する。こうすれば、既に固定済みであったボードを溝から取り外した場合、第４片と開口部の周壁下端との干渉により、上記形態のボード固定部材を溝に残したままとし易い。よって、ボード取り外しや交換に際しての固定部材紛失を招き難くできる。また、例えば、緊急的な避難のためにボードを破損等しても、ボード固定部材は例えば枠材の周辺に移動しないので、ボード固定部材を誤って踏みつけてしまうようなことも起き難くなる。
【００１０】
（３）上記形態のボード固定部材において、前記各片をバネ鋼板のプレス成形を経て形成することができる。こうすれば、第３片が第１片に及ぼす弾発力を確実に発生させることができるので、ボードのガタツキ防止の上からも望ましい。
【００１１】
（４）上記形態のボード固定部材において、前記第２片が前記第２の方向に沿って前記第１片から延びる寸法を、前記開口部の開口幅より大きくできる。こうすれば、固定済みのボードを溝から取り外した際に、ボードが当接していた側の開口部の周壁の側に、第３片の弾発力により第１片と第２片が移動すると、第１片は上記の開口部の周壁に当接もしくは近接した上で、第２片は溝の開口部を塞いで片先端をボードが当接していた側と反対側の開口部の開口端に乗り上げる。よって、固定済みのボードを溝から取り外した際に、上記形態のボード固定部材が溝の内部に落下し難くなるので、ボード取り外し後の再挿入の際に、溝内部に落下したボード固定部材を取り出す必要が無くなり、簡便となる。
【００１２】
（５）上記形態のボード固定部材において、前記第３片を、前記非挿入状態においても、前記弾発力により前記第１片を前記ボードが当接していた側の前記開口部の開口端に押し付けるようにできる。こうすれば、固定済みのボードを溝から取り外した際の溝内へのボード固定部材の落下を、第１片の押し付けによっても防止した上で、ボード固定部材をより確実に溝に残すことができる。
【００１３】
（６）上記形態のボード固定部材において、前記第４片を、前記溝が延びる方向に沿った前記第１片の幅方向の両端において、前記第１片の他端側から屈曲して延びるようにできる。こうすれば、既に固定済みであったボードを溝から取り外した場合、第４片と開口部の周壁下端との干渉が第１片の両端で起きるので、上記形態のボード固定部材を安定した姿勢で溝に残したままとできる。
【００１４】
（７）本発明の他の形態によれば、枠材にボードを固定したパーテーションが提供される。このパーテーションは、溝内部より開口部が狭くされた有底の溝を有する前記枠材と、前記枠材の前記開口部から前記溝に挿入されて前記開口部の開口端に当接する前記ボードと、前記開口部の開口端に当接した前記ボードを、前記枠材の前記溝において固定する上記形態のボード固定部材とを備える。そして、前記第１片は、前記ボードが前記開口部の周壁に当接した当接状態において、前記溝に挿入済みの前記ボードの表面に当接して、前記溝の内部に延びる。前記第２片は、前記第１片の一端側において前記第１片から延び、前記ボードの当接状態において、前記開口部と前記ボードとの隙間を塞ぐ。前記第３片は、前記第１片の他端側において前記第１片から屈曲して延び、前記ボードの当接状態において、前記開口部の開口端および／または前記溝の内周壁と係合して、前記第１片に前記ボードの側に押し付ける弾発力を及ぼす。
【００１５】
この形態のパーテーションでは、ボードが開口部の開口端に当接した当接状態において、ボードと溝の開口部との隙間に、第１片がボードの表面に当接するよう、第１片を第３片が延びる他端側からボード固定部材を溝の内部に挿入する。そして、上記形態によれば、ボード固定部材の挿入という簡単な作業で、ボードのガタツキを防止して枠材にボードを固定したパーテーションを容易に提供できると共に、ボードだけの交換にも容易に対処できる。
【００１６】
本発明は、ボード固定部材やパーテーション以外の種々の形態で実現することが可能である。例えば、ボード固定部材の製造方法や、パーテーションの製造方法の他、枠材へのボードの固定方法、ガラスを装着した窓、窓枠へのガラスの固定方法等の形態で実現することができる。
【図面の簡単な説明】
【００１７】
【図１】第１実施形態としてのボード固定部材１０の斜視図である。
【図２】ボード固定部材１０を正面図や左右の側面図等の６面図で示した説明図である。
【図３】図２における３−３線で断面した端面を拡大して示す説明図である。
【図４】図２における４−４線で断面した端面を拡大して示す説明図である。
【図５】ボード固定部材１０のプレス成形の工程の前半を示す説明図である。
【図６】ボード固定部材１０のプレス成形の工程の後半を示す説明図である。
【図７】ボード固定部材１０によるボードＢの枠材Ｗへの固定前の様子を斜視にて示す説明図である。
【図８】ボード固定部材１０の形状や枠材Ｗとの寸法規定の様子を示す説明図である。
【図９】ボード固定部材１０によるボードＢの固定の様子をボード固定部材１０の各部位の挙動と共に示す説明図である。
【図１０】ボードＢの取り外しに伴うボード固定部材１０の挙動を示す説明図である。
【図１１】第２実施形態としてのパーテーション１００を分解して斜視にて示す説明図である。
【図１２】隔壁材としてのパーテーション１００の取付の様子を示す説明図である。
【図１３】パーテーション１００の取付の様子を他の方向から見て示す説明図である。
【図１４】パーテーション１００の固定の様子を示す説明図である。
【図１５】第３実施形態としてのボード固定部材１０Ａの斜視図である。
【図１６】他の方向からボード固定部材１０Ａを見て示す斜視図である。
【図１７】ボード固定部材１０Ａを正面図や左右の側面図等の６面図で示した説明図である。
【図１８】図１７における１８−１８線で断面した端面を拡大して示す説明図である。
【図１９】図１７における１９−１９線で断面した端面を拡大して示す説明図である。
【図２０】ボード固定部材１０Ａの形状や枠材Ｗとの寸法規定の様子を示す説明図である。
【図２１】ボード固定部材１０ＡによるボードＢの枠材Ｗへの固定前の様子を斜視にて示す説明図である。
【図２２】ボード固定部材１０ＡによるボードＢの固定の様子を示す説明図である。
【図２３】ボードＢの固定の様子をボード固定部材１０Ａの各部位の挙動と共に示す説明図である。
【図２４】ボードＢの取り外しに伴うボード固定部材１０Ａの挙動を示す説明図である。
【発明を実施するための形態】
【００１８】
Ａ．第１実施形態：
図１は第１実施形態としてのボード固定部材１０の斜視図、図２はボード固定部材１０を正面図や左右の側面図等の６面図で示した説明図、図３は図２における３−３線で断面した端面を拡大して示す説明図、図４は図２における４−４線で断面した端面を拡大して示す説明図である。
【００１９】
図示するボード固定部材１０は、防錆性に優れたステンレス製のバネ鋼板（例えば、０．３ｍｍ程度の厚みのバネ鋼板）のプレス成形を経て形成され、第１片１１と、第２片１２と、第３片１３と、補助第３片１３ａと、第４片１４とを備える。第１片１１は、平板状をなし、その一端側において、第２片１２をほぼ９０・の角度で屈曲して、当該一端側から延ばす。第１片１１は、第２片１２と反対側の他端側を、鋼板が折り返して形成される折り返し部位２０とし、この折り返し部位２０から第３片１３、補助第３片１３ａおよび第４片１４を屈曲して延ばす。これら各辺の屈曲の様子については、後述する。補助第３片１３ａは、先端側を第１片１１の側に湾曲させており、第１片１１の中央に位置する。第３片１３は、補助第３片１３ａの両側に位置し、先端側を第１片１１とほぼ平行な平坦部とする。この第３片１３は、バネ鋼板のプレス成形を経ていること、および第１片１１の他端側の折り返し部位２０から屈曲して延びていることから、図３に示すように、第１片１１の側への湾曲および復帰のスイングが可能であり、これにより、弾発力を発生させる。補助第３片１３ａも同様であり、スイングにより弾発力を発生させる。なお、補助第３片１３ａにあっては、湾曲先端側がその湾曲の程度を小さくするようにも変形および復帰が可能であり、これによっても弾発力を発生させる。第４片１４は、第３片１３の更に外側に位置し、折り返し部位２０から傾斜して延び、第３片１３と同様、第１片１１の側への湾曲および復帰のスイングが可能である。
【００２０】
次に、ボード固定部材１０のプレス成形工程について説明する。図５はボード固定部材１０のプレス成形の工程の前半を示す説明図、図６はボード固定部材１０のプレス成形の工程の後半を示す説明図である。
【００２１】
図５に示すように、まず、平板プレートＰ１を準備する。この平板プレートＰ１は、図１〜図２に示した第１片１１と、第２片１２、第３片１３，補助第３片１３ａおよび第４片１４を展開した形状を外郭形状にして、バネ鋼板から型抜きされる。次に、この平板プレートＰ１に対して、第１のプレス工程を行う。このプレス工程では、下型Ｄｋ１と上型Ｕｋ１とを用いる。下型Ｄｋ１は、図における上下の第４片１４の位置に第４片１４の傾斜程度を定める傾斜雌型部Ｄｋ１１を備え、第４片１４の内側に第３片１３の傾斜程度と先端の平坦部を定める凹所雌型部Ｄｋ１２を備え、中央に補助第３片１３ａの傾斜程度と先端の湾曲程度を定める凹所雌型部Ｄｋ１３を備える。上型Ｕｋ１は、傾斜雌型部Ｄｋ１１と対向する傾斜雄型部Ｕｋ１１と、凹所雌型部Ｄｋ１２と対向して形状が合致した凸雄型部Ｕｋ１２と、凹所雌型部Ｄｋ１３と対向して形状が合致した凸雄型部Ｕｋ１３とを備える。そして、準備済みの平板プレートＰ１を下型Ｄｋ１にセットして、上型Ｕｋ１を降下させ、平板プレートＰ１をプレスする。これにより、平板プレートＰ１において、中央の補助第３片１３ａと、その両側の第３片１３と、更にその両側の第４片１４とが、平板状の第１片１１に連続した第１成形プレートＰ２が得られる。
【００２２】
次いで、図６に示すように、第１成形プレートＰ２に対して、第２のプレス工程を行う。このプレス工程では、下型Ｄｋ２と上型Ｕｋ２とを用いる。下型Ｄｋ２は、第１片１１の縦横寸法と、第１片１１に対する第２片１２の屈曲程度（ほぼ９０・）とを規定すると共に、屈曲済みの第３片１３等の持ち上げを行う凹所雌型部Ｄｋ２１と、屈曲済みの第３片１３等を支える傾斜部Ｄｋ２２とを備える。上型Ｕｋ２は、凹所雌型部Ｄｋ２１と対向して形状が合致した凸雄型部Ｕｋ２１を備える。そして、第１成形プレートＰ２を下型Ｄｋ２にセットして、上型Ｕｋ２を降下させ、第１成形プレートＰ２をプレスする。これにより、第２片１２がほぼ９０・で第１片１１から屈曲し、屈曲済みの第３片１３等が持ち上がった第２成形プレートＰ３が得られる。また、第２片１２の突出寸法や第１片１１の縦横寸法についても、この第２のプレス工程で定まる。
【００２３】
次に、得られた第２成形プレートＰ３に対して、第３のプレス工程を行う。このプレス工程では、下型Ｄｋ３と上型Ｕｋ３とを用いる。下型Ｄｋ３は、第１片１１と第２片１２とを屈曲したまま受け止めると共に、屈曲済みの１３等の折り返し部位２０からの屈曲の程度を規定し、更には折り返し部位２０の折り返し成形を行うための凹所雌型部Ｄｋ３１を備える。上型Ｕｋ３は、凹所雌型部Ｄｋ３１と対向して形状が合致した凸雄型部Ｕｋ３１を備える。そして、第２成形プレートＰ３を、その第１片１１と第２片１２が下型Ｄｋ３の底側になるよう下型Ｄｋ３にセットして、上型Ｕｋ３を降下させ、第２成形プレートＰ３をプレスする。これにより、第１片１１において、第２片１２と反対側の端部にて鋼板が折り返しプレスされた折り返し部位２０が形成されると共に、この折り返し部位２０から、屈曲済みの第３片１３と、補助第３片１３ａおよび第４片１４が屈曲して延び、ボード固定部材１０が得られる。これにより、第３片１３と補助第３片１３ａおよび第４片１４についての折り返し部位２０からの屈曲の様子、延いては上記各辺の第１片１１に対する屈曲の様子が定まる。
【００２４】
次に、上記のボード固定部材１０を用いたボード固定について説明する。図７はボード固定部材１０によるボードＢの枠材Ｗへの固定前の様子を斜視にて示す説明図、図８はボード固定部材１０の形状や枠材Ｗとの寸法規定の様子を示す説明図、図９はボード固定部材１０によるボードＢの固定の様子をボード固定部材１０の各部位の挙動と共に示す説明図である。
【００２５】
図７に示すように、枠材Ｗは、断面中央に枠材コア部Ｃｂを備え、当該コア部の上下に開口部Ｒｏが狭くされた有底溝Ｒを有する。ボードＢは、枠材Ｗの開口部Ｒｏから有底溝Ｒに挿入されて枠材コア部Ｃｂで支えられる。ボード固定部材１０は、このボードＢを枠材Ｗに固定すべく、枠材Ｗの開口部ＲｏとボードＢとの隙間Ｏｗにセットされる。ボード固定部材１０と枠材Ｗの開口部Ｒｏ等との寸法関係は以下の通りである。ボード固定部材１０は、第２片１２の屈曲幅１２ｗを、ボードＢの当接状態におけるボードＢと開口部Ｒｏとの隙間Ｏｗより大きくしている。ボード固定部材１０は、図８に示すように、フリーの状態において、第３片１３の先端の平坦部が第１片１１から突出高１３ｔとなるように、第３片１３を第１片１１の折り返し部位２０から屈曲して延ばす。この突出高１３ｔは、ボードＢが開口部Ｒｏに挿入されて一方の開口周壁に当接した状態（以下、当接状態と称する）におけるボードＢと開口部Ｒｏとの隙間Ｏｗより大きく、且つ、開口部Ｒｏの開口幅よりも大きくされている。ボード固定部材１０は、フリーの状態において、補助第３片１３ａの先端の湾曲部の頂上部位を第３片１３の先端平坦部より第１片１１から離すと共に、補助第３片１３ａの先端が第２片１２から間隔１３ｄだけ隔たるように、補助第３片１３ａを第１片１１の折り返し部位２０から屈曲して延ばす。この間隔１３ｄは、開口部Ｒｏの開口周壁の厚みＯｄより小さくされている。ボード固定部材１０は、第４片１４を第１片１１の折り返し部位２０から屈曲して延ばし、第４片１４は、その先端を上記の間隔１３ｄより大きく第２片１２から離していると共に、先端を、第１片１１から第２片１２の屈曲幅１２ｗより大きく離している。つまり、第４片１４は、その先端を開口部Ｒｏの開口幅より大きく、第１片１１から離している。
【００２６】
ボード固定部材１０にてボードＢを枠材Ｗに固定するに当たっては、図７および図９（Ａ）に示すように、ボード固定部材１０を、折り返し部位２０が当接状態におけるボードＢと開口部Ｒｏとの隙間Ｏｗに入り込むようセットする。次いで、第２片１２に枠材Ｗの側に押し込む力を加えて、ボード固定部材１０を隙間Ｏｗに押し込む。そうすると、ボード固定部材１０は、図９（Ｂ）に示すように、第１片１１を有底溝Ｒに挿入済みのボードＢの表面に当接させたまま、有底溝Ｒの内部に延ばす。ボード固定部材１０は、第２片１２を第１片１１から屈曲させて延ばし、ボードＢと開口部Ｒｏとの隙間Ｏｗを第２片１２で塞ぐ。この場合、第２片１２は、その屈曲幅１２ｗが上記の隙間Ｏｗより大きいことから、片先端を開口部Ｒｏの開口周囲部位Ｒｐに乗り上げて、開口部Ｒｏを塞ぐ。
【００２７】
ボード固定部材１０は、第３片１３を、有底溝Ｒの内部において、第１片１１の下端の折り返し部位２０から屈曲して延ばした上で、有底溝Ｒの開口部Ｒｏの周壁に係合させる。第３片１３は、ボード固定部材１０の押し込みの際に、第１片１１からの突出高１３ｔ（図８参照）が小さくなるよう第１片１１の側に押さえ付けられたまま、有底溝Ｒの開口部Ｒｏの周壁に係合することになる。よって、この第３片１３は、図９（Ｃ）に示すように、第１片１１にボードＢの側に押し付ける弾発力Ｆ１を及ぼす。
【００２８】
ボード固定部材１０は、補助第３片１３ａを、有底溝Ｒの内部において、第１片１１の下端の折り返し部位２０から屈曲して延ばした上で、有底溝Ｒの開口部Ｒｏを形成する開口下端片部Ｒｏｅのコーナー部に係合させる。補助第３片１３ａは、ボード固定部材１０の押し込みの際に、有底溝Ｒの開口部Ｒｏの周壁に係合して第１片１１の側に押さえ付けられ、先端湾曲部が開口下端片部Ｒｏｅのコーナー部より図における下方となると、弾発する。この場合、補助第３片１３ａの先端は、第２片１２から間隔１３ｄ（図８参照）が開口部Ｒｏの開口周壁の厚みＯｄより小さいことから、図９（Ｄ）に示すように、開口部Ｒｏに留まることになる。よって、補助第３片１３ａは、先端湾曲部にて開口下端片部Ｒｏｅのコーナー部から押さえ付けられるので、図９（Ｄ）に示すように、第１片１１に対して斜め下方側に弾発力Ｆ２を及ぼす。この弾発力Ｆ２の水平方向分力は、第３片１３の弾発力Ｆ１と同様、第１片１１をボードＢの側に押し付ける力として働く。弾発力Ｆ２の鉛直下方側の分力は、ボード固定部材１０の全体を有底溝Ｒの底側に押し付ける力として働く。
【００２９】
ボード固定部材１０は、第４片１４を、有底溝Ｒの内部において、第１片１１の折り返し部位２０から屈曲して延ばす。第４片１４は、ボード固定部材１０の押し込みの際に、有底溝Ｒの開口部Ｒｏの周壁に係合して第１片１１の側に押さえ付けられ、先端が開口下端片部Ｒｏｅより図における下方となると、弾発する。この第４片１４の先端は、既述したように第２片１２から上記の間隔１３ｄより大きく離れているので、第４片１４は、開口下端片部Ｒｏｅと係合することはなく、図８のフリーの状態まで復帰する（図９（Ｂ）参照）。
【００３０】
以上説明した第１実施形態のボード固定部材１０によれば、ボードＢが開口部Ｒｏの周壁に当接した当接状態において、このボードＢに当接した第１片１１を、第３片１３の弾発力Ｆ１および補助第３片１３ａの弾発力Ｆ２とにより、ボードＢの側に継続して押し付ける。よって、ボードＢが開口部Ｒｏの周壁に当接した当接状態のまま、このボードＢを枠材Ｗの有底溝Ｒに固定でき、ボードＢと有底溝Ｒとのガタツキを防止できる。しかも、ボードＢと有底溝Ｒの開口部Ｒｏとの隙間Ｏｗへの第１片１１の先端の折り返し部位２０からの挿入という簡単な作業で、枠材Ｗへのボード固定やボードＢの交換固定が済み、簡便である。また、第２片１２の屈曲幅１２ｗをボードＢと開口部Ｒｏとの隙間Ｏｗより広くしたので、ボード固定部材１０によるボードＢの固定状態において、第３片１３や補助第３片１３ａの側に異物を侵入させ難くできる。よって、異物侵入に伴う第３片１３や補助第３片１３ａの変形を抑制できるので、継続したボード固定の上で、有益となる。
【００３１】
次に、ボードＢの取り外しについて説明する。図１０はボードＢの取り外しに伴うボード固定部材１０の挙動を示す説明図である。図示するように、ボードＢを有底溝Ｒから取り外すと、第３片１３は上記の弾発力Ｆ１を第１片１１に及ぼす。このため、第３片１３を除くボード固定部材１０の各片、即ち第１片１１と、第２片１２、補助第３片１３ａおよび第４片１４は、ボードＢが当接していた開口部Ｒｏの周壁の側に移動する。フリーの状態における第１片１１からの第３片１３の突出高１３ｔは、開口部Ｒｏの開口幅よりも大きいことから、第３片１３は、開口部Ｒｏの周壁に係合したままとなり、弾発力Ｆ１をボードＢの取り外し後にも第１片１１に及ぼすことになる。このため、第１片１１は、第３片１３と反対側の開口部Ｒｏの周壁に押されたままとなるので、ボード固定部材１０は、不用意に有底溝Ｒから飛び出すことはなく、有底溝Ｒに残ったままとなる。しかも、第４片１４は、ボードＢの取り外し後においてもフリーの状態であって、第１片１１から開口部Ｒｏの開口幅より広く延びて、開口下端片部Ｒｏｅの下方側に位置して当該下端片部と干渉する。これらの結果、既に固定済みであったボードＢを有底溝Ｒから取り外した場合、ボード固定部材１０を有底溝Ｒに残したままとし易いので、ボードＢの取り外しや交換に際して、ボード固定部材１０の紛失を招き難くできる。また、例えば、緊急的な避難のためにボードＢを破損等しても、ボード固定部材１０を枠材Ｗの周辺に飛散し難くできるので、ボード固定部材１０を誤って踏みつけてしまうようなことも回避できる。
【００３２】
以上説明した第１実施形態のボード固定部材１０は、次のような利点も備える。既述したように、ボード固定部材１０は、固定済みのボードＢを有底溝Ｒから取り外しても有底溝Ｒに残る。しかしながら、例えば、第３片１３が及ぼしている弾発力Ｆ１に勝る力でボード固定部材１０を有底溝Ｒから持ち上げつつ、第３片１３の外側であって第１片１１の両端の第４片１４についても開口部Ｒｏの開口幅より狭くすることで、第３片１３と開口部Ｒｏの内周壁との係合および第４片１４と開口下端片部Ｒｏｅとの係合を解いて、ボード固定部材１０を有底溝Ｒから取り外すことができる。よって、ボード固定部材１０は、再利用が可能であり、ボードＢの破損等に伴う交換に際しては、ボード固定済みの枠材ごとの交換もさほど必要とならなくなる。また、マイナスドライバー等の工具にて第１片１１を第３片１３の側に弾発力Ｆ１に抗して押し戻せば、第１片１１と開口部Ｒｏの内周壁との間に隙間ができる。そして、この隙間にボードＢを改めて挿入することでボード固定部材１０の再利用が進む。
【００３３】
また、以上説明した第１実施形態のボード固定部材１０は、第１片１１〜第４片１４の各片を、バネ鋼板のプレス成形を経て形成した。よって、第３片１３および補助第３片１３ａが第１片１１に及ぼす弾発力を確実に発生させることができるので、ボードＢの継続したガタツキ防止の上から有益となる。
【００３４】
また、ボード固定部材１０では、第３片１３の弾発力Ｆ１をボードＢの取り外し後にも第１片１１に及ぼすので、有底溝Ｒへのボード固定部材１０の落下を防止して、ボード固定部材１０を有底溝Ｒにより確実に残すことができる。このことは、ボードＢをその上端側で固定していた枠材Ｗの有底溝Ｒからボードを取り外す場合に、ボード固定部材１０を有底溝Ｒから落下させないので、特に有益となる。
【００３５】
また、ボード固定部材１０では、第３片１３を補助第３片１３ａの両側に配置して備えるので、第３片１３の弾発力Ｆ１による第１片１１の押し付けが多点でなされることになる。よって、ボードＢのガタツキをより確実に防止できる。この他、ボード固定部材１０では、第４片１４を有底溝Ｒが延びる方向に沿った第１片１１の幅方向の両端において、第１片１１の折り返し部位２０から屈曲して延ばした。よって、既に固定済みであったボードＢを有底溝Ｒから取り外した場合、第４片１４と開口部Ｒｏの開口下端片部Ｒｏｅとの干渉を第１片１１の両端で起こすことで、ボード固定部材１０を安定した姿勢で有底溝Ｒに残したままとできる。このことは、ボードＢをその上端側で固定していた枠材Ｗの有底溝Ｒからボードを取り外す場合に、ボード固定部材１０を有底溝Ｒから落下させないので、特に有益となる。
【００３６】
Ｂ．第２実施形態：
図１１は第２実施形態としてのパーテーション１００を分解して斜視にて示す説明図である。図示するように、パーテーション１００は、向かい合う縦枠材ＶＷの上下端および中央に、横枠として枠材Ｗを配設し、これら枠材で囲まれた部位に、２枚のボードＢを上下に組み込んで備える。縦枠材ＶＷと枠材Ｗは、それぞれの接合箇所において、寸切り状の固定ボルトＦｂにて組み付け固定される。縦枠材ＶＷは、ボードＢの組み込み側に枠材Ｗと同様の有底溝Ｒおよび開口部Ｒｏを備え、図における紙面の手前側と奥側の側面には、Ｔ溝状の固定用溝Ｔｓ（図１４参照）を有する。
【００３７】
パーテーション１００の組み付けに際しては、まず、向かい合う縦枠材ＶＷの下端に枠材Ｗを固定ボルトＦｂにて固定する。次いで、縦枠材ＶＷの上端側から、１枚のボードＢを縦枠材ＶＷの開口部Ｒｏに差し込み、ボードＢの左右端を縦枠材ＶＷの開口部Ｒｏに挿入する。ボードＢは、その下端が枠材Ｗの開口部Ｒｏに挿入される。この状態で、ボード固定部材１０を枠材Ｗの開口部Ｒｏおよび縦枠材ＶＷの開口部Ｒｏに既述したように装着して、ボードＢをその下端および左右端で枠材Ｗと縦枠材ＶＷに固定する。図１１のパーテーション１００では、ボードＢを、その下端で３個のボード固定部材１０で、左右端では２個のボード固定部材１０でそれぞれ枠材Ｗで固定している。この場合、ボード固定部材１０の個数については、ボードＢの大きさに応じて適宜変更すればよい。
【００３８】
ボードＢの下端と左右端を固定した後には、中央に枠材Ｗを固定した上で、ボードＢの上端についても、中央の枠材Ｗの開口部Ｒｏに挿入させ、ボード固定部材１０にて固定する。次いで、もう一枚のボードＢを、先に固定済みのボードＢと同様に組み込んだ上で、上端の枠材Ｗを縦枠材ＶＷに固定ボルトＦｂにて固定する。この状態で、上方側のボードＢについても、その周囲を、ボード固定部材１０にて枠材Ｗおよび縦枠材ＶＷの開口部Ｒｏに固定する。こうして得られたパーテーション１００は、枠材Ｗと縦枠材ＶＷの組み付けと、その過程でのボード固定部材１０の挿入によりボード固定という簡単な作業で、ボードＢのガタツキが防止されたパーテーションとなる。よって、この実施形態によれば、ボードＢのガタツキが防止されたパーテーション１００を容易に提供できる。また、ボードＢの破損等による交換に当たっては、枠材の分解と破損ボードの除去とを行った後に、ボードＢだけを容易に交換できる。
【００３９】
パーテーション１００は、集合住宅のバルコニー等における隔壁材として利用できる他、縦枠材ＶＷの下端に自立脚を取り付けることで、衝立状の自立型のパーテーションや仕切り板、安全柵等として利用できる。図１２は隔壁材としてのパーテーション１００の取付の様子を示す説明図、図１３はパーテーション１００の取付の様子を他の方向から見て示す説明図、図１４はパーテーション１００の固定の様子を示す説明図である。
【００４０】
パーテーション１００は、図１２〜図１３に示すように、建物壁Ｆｉと外側壁Ｆｏとの間に固定される。パーテーション固定には、図１４に示す固定ユニット１２０を用いる。この固定ユニット１２０は、Ｌ字状に屈曲した固定腕金具１２１と、ボルト１２２と、平座金１２３、アンカーボルト１２４、Ｔ字状のヘッドを有するボルト１２５、平座金１２６およびナット１２７で構成される。アンカーボルト１２４は、建物壁Ｆｉ或いは外側壁Ｆｏの適宜箇所に埋設される。ボルト１２５は、Ｔ字状ヘッドを縦枠材ＶＷの固定用溝Ｔｓに挿入して用いられ、平座金１２６とナット１２７にて固定腕金具１２１を縦枠材ＶＷに係合する。固定腕金具１２１は、ボルト１２５が固定用溝Ｔｓに沿って動くことで、埋設済みのアンカーボルト１２４の位置に移動する。固定腕金具１２１は、固定腕金具１２１に合致する位置の移動後、ボルト１２２と平座金１２３を用いて、アンカーボルト１２４に固定される。これにより、パーテーション１００は、固定ユニット１２０により建物壁Ｆｉと外側壁Ｆｏとの間に固定される。
【００４１】
隔壁材としてのパーテーション１００では、火災や地震等の緊急的な避難の際、往々にしてボードＢは破損されるが、既述したようにボード固定部材１０をバルコニーの床等に飛散させない。よって、避難人員が誤ってボード固定部材１０を踏みつけてしまうようなことも起き難くできる。また、破損したボードＢの交換の際には、設置場所でのボード交換、具体的には、パーテーション１００の取り外し、枠材の分解、ボードＢの再組み付けとボード固定部材１０による固定、および枠材の組み付け、壁への固定を設置場所で行えば済むことになる。このため、ボード固定済みのパーテーション１００そのものを設置場所に新たに持ち込んで交換する必要は少なくなる。
【００４２】
Ｃ．第３実施形態：
図１５は第３実施形態としてのボード固定部材１０Ａの斜視図、図１６は他の方向からボード固定部材１０Ａを見て示す斜視図、図１７はボード固定部材１０Ａを正面図や左右の側面図等の６面図で示した説明図、図１８は図１７における１８−１８線で断面した端面を拡大して示す説明図、図１９は図１７における１９−１９線で断面した端面を拡大して示す説明図である。
【００４３】
図示するボード固定部材１０Ａは、防錆性に優れたステンレス製のバネ鋼板のプレス成形を経て形成される点で既述したボード固定部材１０と同様であるが、弾発性確保の上から、より薄いバネ鋼板、例えば、０．１ｍｍ程度の厚みのバネ鋼板を用いた。そして、このボード固定部材１０Ａは、ボード固定部材１０と同様、第１片１１Ａと、第２片１２Ａと、第３片１３Ａと、補助第３片１３ａＡと、第４片１４Ａとを備える他、第５片１５も有する。第１片１１Ａは、平板状をなして湾曲し、第２片１２をほぼ９０・の角度で屈曲して、当該一端側から延ばす。第１片１１Ａは、湾曲端の側を、折り返し部位２０Ａとする。ボード固定部材１０Ａでは、折り返し部位２０Ａは、第１片１１Ａの外側に延び、第１片１１Ａに対向する側に、第３片１３Ａと補助第３片１３ａＡを屈曲して延ばす。また、折り返し部位２０Ａは、第１片１１Ａより外側に当たる位置から、第４片１４Ａと第５片１５とを屈曲して延ばす。補助第３片１３ａＡと第３片１３Ａは、ボード固定部材１０の補助第３片１３ａと第３片１３と同様、弾発力を発生させる（図１８〜図１９参照）。第４片１４Ａは、折り返し部位２０から屈曲した上で、第１片１１Ａから遠ざかるように湾曲して延び、第３片１３と同様、第１片１１の側への湾曲および復帰のスイングが可能である。第５片１５は、第４片１４Ａと対向するよう、折り返し部位２０Ａから延びて第１片１１Ａより外側に湾曲し、第１片１１Ａと並ぶように湾曲して復帰するスイングが可能である。このボード固定部材１０Ａにあっても、ボード固定部材１０と同様、上記した各片を展開した形状を外郭形状とするプレートのバネ鋼板からの型抜き、および、多工程のプレス成形を経て、形成される。プレス成形の際の型形状は、ボード固定部材１０Ａの各部および各辺の形状に倣って定まるが、その工程においてはボード固定部材１０と変わるものではないので、説明は省略する。
【００４４】
このボード固定部材１０Ａによるボード固定は次の通りである。図２０はボード固定部材１０Ａの形状や枠材Ｗとの寸法規定の様子を示す説明図、図２１はボード固定部材１０ＡによるボードＢの枠材Ｗへの固定前の様子を斜視にて示す説明図、図２２はボード固定部材１０ＡによるボードＢの固定の様子を示す説明図、図２３はボードＢの固定の様子をボード固定部材１０Ａの各部位の挙動と共に示す説明図である。
【００４５】
図２０以降の各図に示すように、ボード固定部材１０Ａがボード固定に用いられる枠材Ｗは、既述した第１実施形態の枠材Ｗと同様、断面中央に枠材コア部Ｃｂを備え、当該コア部の上下に開口部Ｒｏが狭くされた有底溝Ｒを有する。この有底溝Ｒは、いわゆるＴ溝と称される形態の溝であり、ボードＢは、枠材Ｗの開口部Ｒｏから有底溝Ｒに挿入されて枠材コア部Ｃｂで支えられて、有底溝Ｒの周壁Ｒｗにて溝長手方向に亘って取り囲まれる。ボード固定部材１０Ａは、このボードＢを枠材Ｗに固定すべく、枠材Ｗの開口部ＲｏとボードＢとの隙間Ｏｗにセットされる。ボード固定部材１０Ａと枠材Ｗの開口部Ｒｏ等との寸法関係は以下の通りである。ボード固定部材１０Ａは、第２片１２Ａの屈曲幅１２ｗを、ボードＢの当接状態におけるボードＢと開口部Ｒｏとの隙間Ｏｗより大きく、且つ、開口部Ｒｏの開口幅より大きくしている。ボード固定部材１０Ａは、図２０に示すように、フリーの状態において、第３片１３Ａの先端の平坦部が第１片１１Ａから突出高１３ｔとなるように、第３片１３Ａを第１片１１Ａの折り返し部位２０Ａから屈曲して延ばす。この突出高１３ｔは、ボードＢが開口部Ｒｏに挿入されて一方の開口周壁に当接した当接状態におけるボードＢと開口部Ｒｏとの隙間ＯｗおよびボードＢと周壁Ｒｗの上端コーナーとの間隔Ｒｗｗよりも大きくされている。また、ボード固定部材１０Ａは、第３片１３Ａを、その先端が第２片１２Ａから間隔１３ｄだけ隔たるように、第３片１３Ａを第１片１１Ａの折り返し部位２０Ａから屈曲して延ばす。この間隔１３ｄは、開口部Ｒｏの開口周壁の厚みＯｄより大きくされている。
【００４６】
ボード固定部材１０Ａは、フリーの状態において、補助第３片１３ａＡの先端が第２片１２Ａから間隔１３ａｄだけ隔たるように、補助第３片１３ａＡを第１片１１Ａの折り返し部位２０Ａから屈曲して延ばす。この間隔１３ａｄは、開口部Ｒｏの開口周壁の厚みＯｄより小さくされている。ボード固定部材１０Ａは、第４片１４Ａを第１片１１の折り返し部位２０Ａから屈曲して延ばし、第４片１４Ａは、その先端を上記の間隔１３ｄより大きく第２片１２Ａから離していると共に、先端を、第１片１１Ａから第２片１２Ａの屈曲幅１２ｗより大きく離している。つまり、第４片１４Ａは、その先端を開口部Ｒｏの開口幅より大きく、第１片１１Ａから離している。また、ボード固定部材１０Ａは、フリーの状態において、第５片１５を第１片１１Ａの外側に位置するように第１片１１Ａの折り返し部位２０Ａから湾曲して延ばす。そして、この第５片１５は、その先端を第４片１４Ａの先端から解放幅１４ｔだけ隔てており、この解放幅１４ｔの間に、第２片１２Ａを位置させる。
【００４７】
ボード固定部材１０ＡにてボードＢを枠材Ｗに固定するに当たっては、図２１および図２２（Ａ）に示すように、ボード固定部材１０Ａを、折り返し部位２０Ａが当接状態におけるボードＢと開口部Ｒｏとの隙間Ｏｗに入り込むようセットする。次いで、第２片１２Ａに枠材Ｗの側に押し込む力を加えて、ボード固定部材１０Ａを隙間Ｏｗに押し込む。そうすると、ボード固定部材１０Ａは、図２２（Ｂ）に示すように、第１片１１Ａを有底溝Ｒに挿入済みのボードＢの表面に当接させたまま、有底溝Ｒの内部に延ばし、折り返し部位２０Ａを周壁Ｒｗの下端側に押し当てる。このように折り返し部位２０Ａが有底溝Ｒの周壁Ｒｗの下端側に押し当てられた場合、第１片１１Ａは、自身の湾曲が延びるようになることから弾発し、その弾発力でボードＢを開口部Ｒｏの周壁の側に押し付ける。ボード固定部材１０Ａは、第２片１２Ａを第１片１１Ａから屈曲させて延ばし、ボードＢと開口部Ｒｏとの隙間Ｏｗを第２片１２Ａで塞ぐ。この場合、第２片１２Ａは、その屈曲幅１２ｗが上記の隙間Ｏｗより大きいことから、片先端を開口部Ｒｏの開口周囲部位Ｒｐに乗り上げて、開口部Ｒｏを塞ぐ。
【００４８】
ボード固定部材１０Ａは、第３片１３Ａを、有底溝Ｒの内部において、第１片１１Ａの下端の折り返し部位２０Ａから屈曲して延ばした上で、有底溝Ｒの周壁Ｒｗの上端コーナーに係合させる。第３片１３Ａは、ボード固定部材１０Ａの押し込みの際に、第１片１１Ａからの突出高１３ｔ（図２０参照）が小さくなるよう第１片１１Ａの側に押さえ付けら、片先端が開口部Ｒｏを通過した後において、有底溝Ｒの周壁Ｒｗの上端コーナーに係合することになる。フリーの状態で第１片１１Ａから突出高１３ｔだけ離れていた第３片１３Ａは、ボードＢの表面から間隔Ｒｗｗ（＜突出高１３ｔ）だけ離れた周壁Ｒｗの上端コーナーとの係合状態において、突出高１３ｔが小さくなるよう第１片１１Ａの側に押さえ付けられたままとなる。よって、第３片１３Ａは、図２３（Ａ）に示すように、第１片１１ＡにボードＢの側に押し付ける弾発力Ｆ１を及ぼす。
【００４９】
ボード固定部材１０Ａは、補助第３片１３ａＡを、有底溝Ｒの内部において、第１片１１Ａの下端の折り返し部位２０Ａから屈曲して延ばした上で、有底溝Ｒの開口部Ｒｏを形成する開口下端片部Ｒｏｅのコーナー部に係合させる（図２３（Ｂ）参照）。補助第３片１３ａＡは、ボード固定部材１０Ａの押し込みの際に、有底溝Ｒの開口部Ｒｏの周壁に係合して第１片１１Ａの側に押さえ付けられ、先端湾曲部が開口下端片部Ｒｏｅのコーナー部より図における下方となると、弾発する。この場合、補助第３片１３ａＡの先端は、第２片１２Ａから間隔１３ａｄ（図２０参照）が開口部Ｒｏの開口周壁の厚みＯｄより小さいことから、図２３（Ｂ）に示すように、開口部Ｒｏに留まることになる。よって、補助第３片１３ａＡは、先端湾曲部にて開口下端片部Ｒｏｅのコーナー部から押さえ付けられるので、図２３（Ｂ）に示すように、第１片１１Ａに対して斜め下方側に弾発力Ｆ２を及ぼす。この弾発力Ｆ２の水平方向分力は、第３片１３Ａの弾発力Ｆ１と同様、第１片１１ＡをボードＢの側に押し付ける力として働く。弾発力Ｆ２の鉛直下方側の分力は、ボード固定部材１０Ａの全体を有底溝Ｒの底側に押し付ける力として働く。
【００５０】
ボード固定部材１０Ａは、第４片１４Ａを、有底溝Ｒの内部において、第１片１１Ａの折り返し部位２０から屈曲して延ばす。第４片１４Ａは、ボード固定部材１０Ａの押し込みの際に、第３片１３Ａと同様、第１片１１Ａの側に押さえ付けら、片先端が開口部Ｒｏを通過した後において、湾曲が延びるようにして有底溝Ｒの周壁Ｒｗの上端コーナーに係合することになる。フリーの状態で第１片１１Ａから１３Ａよりも離れていた第４片１４Ａは、ボードＢの表面から間隔Ｒｗｗ（＜突出高１３ｔ）だけ離れた周壁Ｒｗの上端コーナーとの係合状態において、第１片１１Ａの側に押さえ付けられたままとなる。よって、第４片１４Ａは、図２３（Ｃ）に示すように、第１片１１ＡにボードＢの側に押し付ける弾発力Ｆ３を及ぼす。
【００５１】
ボード固定部材１０Ａは、第５片１５を、有底溝Ｒに挿入済みのボードＢの表面に当接させたまま、有底溝Ｒの内部において、第１片１１Ａの折り返し部位２０から湾曲して延ばし、第１片１１Ａに重なるように変形させる。この第５片１５は、自身の湾曲の程度が進むよう変形することから弾発し、その弾発力でボードＢを開口部Ｒｏの周壁の側に押し付ける。
【００５２】
以上説明した第３実施形態のボード固定部材１０Ａによれば、ボードＢが開口部Ｒｏの周壁に当接した当接状態において、このボードＢに当接した第１片１１Ａを、第３片１３Ａの弾発力Ｆ１および補助第３片１３ａＡの弾発力Ｆ２とにより、ボードＢの側に継続して押し付ける。これに加え、第１片１１Ａ自身の弾発力および第４片１４の弾発力Ｆ３と第５片１５の弾発力とによっても、ボードＢを開口部Ｒｏの周壁の側に押し付ける。よって、ボードＢが開口部Ｒｏの周壁に当接した当接状態のまま、このボードＢを枠材Ｗの有底溝Ｒにより強固に固定でき、ボードＢと有底溝Ｒとのガタツキの防止効果が高まる。しかも、ボードＢと有底溝Ｒの開口部Ｒｏとの隙間Ｏｗへの第１片１１Ａの先端の折り返し部位２０Ａからの挿入という簡単な作業で、枠材Ｗへのボード固定やボードＢの交換固定が済み、簡便である。また、第２片１２Ａの屈曲幅１２ｗをボードＢと開口部Ｒｏとの隙間Ｏｗより広くしたので、ボード固定部材１０によるボードＢの固定状態において、第３片１３Ａや補助第３片１３ａＡの側に異物を侵入させ難くできる。よって、異物侵入に伴う第３片１３Ａや補助第３片１３ａＡの変形を抑制できるので、継続したボード固定の上で、有益となる。
【００５３】
次に、ボードＢの取り外しについて説明する。図２４はボードＢの取り外しに伴うボード固定部材１０Ａの挙動を示す説明図である。図示するように、ボードＢを有底溝Ｒから取り外すと、第３片１３Ａと第４片１４Ａが及ぼしていた弾発力Ｆ１と弾発力Ｆ３とにより（図２３参照）、ボード固定部材１０Ａの全体は、ボードＢが当接していた開口部Ｒｏの周壁の側に移動し、第１片１１Ａはこの周壁に当接する（図２４（Ｂ））。フリーの状態における第１片１１Ａからの第３片１３Ａの間隔１３ｄや補助第３片１３ａＡの間隔１３ａｄは、いずれも開口部Ｒｏの開口幅より狭いので、第３片１３Ａと補助第３片１３ａＡは、上記した係合が解かれフリーとなる。ところが、第２片１２Ａは、その屈曲幅１２ｗが開口部Ｒｏの開口幅より大きいことから、片先端を開口部Ｒｏの開口周囲部位Ｒｐに乗り上げて、開口部Ｒｏを塞ぐ。このため、ボードＢの取り外し後において、ボード固定部材１０Ａは、有底溝Ｒの内部に落下することなく、有底溝Ｒに残ったままとなる。このため、ボード取り外し後の再挿入の際に、溝内部に落下したボード固定部材１０Ａを取り出す必要が無くなり、簡便である。
【００５４】
また、第５片１５と第４片１４Ａにあっては、ボードＢの取り外し後においてもフリーの状態となり、片先端の解放幅１４ｔの間に第２片１２Ａを位置させる。よって、第５片１５と第４片１４Ａとは、開口部Ｒｏを有底溝Ｒの内部において跨ぐように開口下端片部Ｒｏｅの下方側に位置して当該下端片部と干渉する。これらの結果、既に固定済みであったボードＢを有底溝Ｒから取り外した場合、ボード固定部材１０Ａを有底溝Ｒに残したままとし易いので、ボードＢの取り外しや交換に際して、ボード固定部材１０Ａの紛失を招き難くできる。また、例えば、緊急的な避難のためにボードＢを破損等しても、ボード固定部材１０Ａを枠材Ｗの周辺に飛散し難くできるので、ボード固定部材１０Ａを誤って踏みつけてしまうようなことも回避できる。
【００５５】
この他、第３実施形態のボード固定部材１０Ａにあっては、既述したボード固定部材１０と同様、有底溝Ｒに残ったボード固定部材１０Ａを有底溝Ｒから持ち上げつつ、第１片１１Ａの外側の第４片１４Ａと第５片１５についても開口部Ｒｏの開口幅より狭くできる。こうすることで、第５片１５および第４片１４Ａの開口下端片部Ｒｏｅに対する係合を解いて、ボード固定部材１０Ａを有底溝Ｒから取り外すことができるので、ボード固定部材１０Ａにあっても再利用が可能である他、既述した簡便はボード交換等の効果を奏することができる。
【００５６】
Ｄ．変形例：
Ｄ−１．変形例１：
既述した第１実施形態のボード固定部材１０では、第２片１２の屈曲幅１２ｗを当接状態におけるボードＢと開口部Ｒｏとの隙間Ｏｗより大きくしたが（図８参照）、この屈曲幅１２ｗを開口部Ｒｏの開口幅より大きくすることもできる。こうすれば、ボード取り外し後において、第２片１２はその片先端を開口部Ｒｏの開口周囲部位Ｒｐに乗り上げるので、既述したようにボード固定部材１０を有底溝Ｒの内部に落下させないようにできる。
【００５７】
Ｄ−２．変形例２：
既述した第１実施形態のボード固定部材１０では、第１片１１からの第３片１３の突出高１３ｔを有底溝Ｒの開口部Ｒｏの開口幅よりも大きくして、ボードＢの取り外し後も弾発力Ｆ１を第１片１１に及ぼすようにした。これに対しては、第３実施形態で説明したように、ボードＢの取り外し後には、第３片１３が開口部Ｒｏの周壁との係合が解かれて、弾発力Ｆ１を及ぼさないようにすることもできる。こうした場合であっても、第３実施形態および上記の変形例のように、第２片１２の屈曲幅１２ｗを開口部Ｒｏの開口幅より大きくすることで、ボード固定部材１０の溝内への落下を容易に防止できる。屈曲幅１２ｗを狭くしてボード固定部材１０が溝内に落下したとしても、第４片１４と開口下端片部Ｒｏｅとの係合を解く等の手法で、ボード固定部材１０を有底溝Ｒから取り出せるので、再利用の上では支障はない。
【００５８】
Ｄ−３．変形例３：
既述した第１、第３の実施形態では、第３片１３、１３Ａを補助第３片１３ａ、１３ａＡの両側に設けたが、いずれか一方の側に設けるようにできる。或いは、３片以上の複数片の第３片とすることもできる。
【００５９】
Ｄ−４．変形例４：
既述した第１、第３の実施形態では、第４片１４、１４Ａを第１片１１、１１Ａの両側に設けたが、いずれか一方の側に設けるようにしたり、第４片を省略することもできる。第３実施形態における第５片１５についても同様である。
【００６０】
Ｄ−５．変形例５：
既述した第１、第３の実施形態では、補助第３片１３ａ、１３ａＡを第３片１３、１３Ａの間に設けたが、第３片のいずれか一方の側に設けるようにしたり、補助第３片を省略することもできる。
【００６１】
Ｄ−６．変形例６：
既述した第１、第３の実施形態では、第２片１２、１２Ａを第１片１１、１１Ａから屈曲して設けたが、第１片の一方の端部の側からＴ字状に延びるようにすることもできる。このようにするには、第１片の一方端部を折り返し部位２０のように折り返し、その折り返し部から第２片が延びるようにすればよい。
【００６２】
以上、本発明の実施の形態について説明したが、本発明は上記の実施形態やその変形例、或いは実施例になんら限定されるものではなく、その趣旨を逸脱しない範囲内において種々の構成で実現することができる。例えば、発明の概要の欄に記載した各形態中の技術的特徴に対応する実施形態、変形例中の技術的特徴は、上述の課題の一部または全部を解決するため、或いは、上述の効果の一部または全部を達成するため、適宜、差し替えや、組み合わせを行うことが可能である。また、その技術的特徴が本明細書中に必須なものとして説明されていなければ、適宜、削除することが可能である。
【符号の説明】
【００６３】
１０、１０Ａ…ボード固定部材
１１、１１Ａ…第１片
１２、１２Ａ…第２片
１２ｗ…屈曲幅
１３、１３Ａ…第３片
１３ａ、１３ａＡ…補助第３片
１３ｄ…間隔
１３ｔ…突出高
１３ａｄ…間隔
１４、１４Ａ…第４片
１４ｔ…解放幅
１５…第５片
２０、２０Ａ…折り返し部位
１００…パーテーション
１２０…固定ユニット
１２１…固定腕金具
１２２…ボルト
１２３…平座金
１２４…アンカーボルト
１２５…ボルト
１２６…平座金
１２７…ナット
Ｂ…ボード
Ｗ…枠材
Ｄｋ１１…傾斜雌型部
Ｄｋ１２…凹所雌型部
Ｄｋ１３…凹所雌型部
Ｕｋ１１…傾斜雄型部
Ｕｋ１２…凸雄型部
Ｕｋ１３…凸雄型部
Ｄｋ２１…凹所雌型部
Ｄｋ２２…傾斜部
Ｕｋ２１…凸雄型部
Ｄｋ３１…凹所雌型部
Ｕｋ３１…凸雄型部
Ｒ…有底溝
Ｐ１…平板プレート
Ｐ２…第１成形プレート
Ｐ３…第２成形プレート
Ｆ１〜Ｆ３…弾発力
ＶＷ…縦枠材
Ｃｂ…枠材コア部
Ｆｂ…固定ボルト
Ｏｄ…厚み
Ｒｏ…開口部
Ｆｉ…建物壁
Ｆｏ…外側壁
Ｒｐ…開口周囲部位
Ｔｓ…固定用溝
Ｏｗ…隙間
Ｒｗ…周壁
Ｄｋ１…下型
Ｕｋ１…上型
Ｄｋ２…下型
Ｕｋ２…上型
Ｄｋ３…下型
Ｕｋ３…上型
Ｒｏｅ…開口下端片部
Ｒｗｗ…間隔
【図１】
2013234498.tif 000003
【図２】
2013234498.tif 000004
【図３】
2013234498.tif 000005
【図４】
2013234498.tif 000006
【図５】
2013234498.tif 000007
【図６】
2013234498.tif 000008
【図７】
2013234498.tif 000009
【図８】
2013234498.tif 000010
【図９】
2013234498.tif 000011
【図１０】
2013234498.tif 000012
【図１１】
2013234498.tif 000013
【図１２】
2013234498.tif 000014
【図１３】
2013234498.tif 000015
【図１４】
2013234498.tif 000016
【図１５】
2013234498.tif 000017
【図１６】
2013234498.tif 000018
【図１７】
2013234498.tif 000019
【図１８】
2013234498.tif 000020
【図１９】
2013234498.tif 000021
【図２０】
2013234498.tif 000022
【図２１】
2013234498.tif 000023
【図２２】
2013234498.tif 000024
【図２３】
2013234498.tif 000025
【図２４】
2013234498.tif 000026